(57)【要約】【課題】携帯電話機など携帯端末を使用して楽曲、動画、ゲームなどをダウンロード購入する際、ダウンロード中の画面表示に代わりまたはダウンロードの前後に広告を表示するとともに、携帯端末使用者の通信料の一部を広告料から還元しダウンロード購入料の一部を広告料から負担するための技術を提供すること。【解決手段】携帯端末使用者が予めサービスの申し込みを行い、携帯端末使用者が発信しダウンロード購入し、予め登録された広告の中からランダムに広告を取出して携帯端末使用者に配信し、配信された広告と回数を広告主あるいは広告ごとに記録し、配信された広告の回数に応じて課金するべき金額を広告主ごとに算出し広告主ごとの広告料金を記録し請求し、配信された広告の回数に応じて携帯端末使用者への通信料還元額とダウンロード購入料負担額及び楽曲等提供者への支払額を計算する。【選択図】図１
2009211669.tif 000002
【特許請求の範囲】
【請求項１】
携帯電話機など携帯端末を使用して楽曲、動画、ゲームなどをダウンロード購入する際、ダウンロード中の画面表示に代わりまたはダウンロードの前後に広告を表示するとともに、携帯端末使用者の通信料の一部を広告料から還元しダウンロード購入料の一部を広告料から負担することを特徴とするダウンロード購入時広告表示システム。
【請求項２】
前述ダウンロード購入時広告表示システムは、携帯端末使用者がこのダウンロード購入時広告表示システムを利用するための申し込みを受け付ける装置と、携帯端末使用者がダウンロード購入した回数と詳細を記録する装置と、広告配信回数と詳細を記録する装置と、広告主への課金を記録する装置と、携帯端末使用者への通信料還元額とダウンロード購入料負担額及び楽曲等提供者への支払額を計算する装置とを含んで構成されていることを特徴とする。
【発明の詳細な説明】
【技術分野】
【０００１】この発明は、携帯端末を使用して楽曲、動画、ゲームなどをダウンロード購入する際、ダウンロード中の画面表示に代わりまたはダウンロードの前後に広告を表示するダウンロード購入時広告表示システムに関する。
【背景技術】
【０００２】携帯電話機など携帯端末の普及によりその通信料は増加している。楽曲をＣＤというパッケージされた形態で購入せず、携帯端末を使用したダウンロード購入が増加している。動画、ゲームなどについても同様の傾向が見られる。広告主にとっては宣伝広告が雑多に存在し消費者に確実に届く効果的な広告を配信する事は非常に難しい。
【発明の開示】
【発明が解決しようとする課題】
【０００３】本発明は、それらに存在する問題点を解決するためのものであり、携帯端末使用者の通信料やダウンロード購入料の一部を広告主が負担し、広告主は確実に消費者に届く広告を配信する事が出来るダウンロード購入時広告表示システムを提供することを課題とする。
【課題を解決するための手段】
【０００４】前記問題点を解決するために、本発明のダウンロード購入時広告表示システムは、携帯端末使用者が予めサービスの申し込みを行い、携帯端末を使用して楽曲、動画、ゲームなどをダウンロード購入する際、ダウンロード中の画面表示に代わりまたはダウンロードの前後に広告を表示するとともに、携帯端末使用者の通信料の一部を広告料から還元しダウンロード購入料の一部を広告料から負担することを特徴とする。【０００５】また、本発明のダウンロード購入時広告表示システムは、携帯端末使用者がこのダウンロード購入時広告表示システムを利用するための申し込みを受け付けるサービス導入装置と、携帯端末使用者がダウンロード購入した回数と詳細を記録するダウンロード履歴記録装置と、広告配信回数と詳細を記録する広告配信履歴記録装置と、広告主への課金を記録する広告課金装置と、携帯端末使用者への通信料ないしダウンロード購入料の還元額を計算する還元支払額計算装置とを含んで構成されている。サービス導入装置は、携帯端末使用者情報入力手段を有している。携帯端末使用者情報入力手段はサービスを導入する携帯電話番号や氏名、年齢、性別、住所、職業ほか携帯端末使用者を特定できる情報を入力する手段である。ダウンロード履歴記録装置は、検出手段、広告取出し配信手段、通信手段を有している。検出手段は携帯端末使用者が本発明のダウンロード購入時広告表示システムを導入しているかを検出する手段である。広告取出し配信手段は検出手段によってダウンロード購入時広告表示システムを使用すると検出された場合、予め登録された広告の中からランダムに広告を取出し配信する手段である。通信手段は携帯端末使用者の通信回線を確立させダウンロード購入させる通信手段である。広告配信履歴記録装置は、広告配信履歴記録手段を有している。広告配信履歴記録手段は配信された広告と回数を広告主あるいは広告ごとに記録する手段である。広告課金装置は、広告料金算出手段、広告料金記録手段を有している。広告料金算出手段は配信された広告の回数に応じて課金するべき金額を広告主ごとに算出する手段である。広告料金記録手段は広告料金算出手段により算出された広告主ごとの広告料金を記録する手段である。還元支払額計算装置は、携帯端末使用者還元額計算手段、楽曲等提供者支払額計算手段を有している。携帯端末使用者還元額計算手段は本発明のダウンロード購入時広告表示システムを利用している携帯端末使用者の利用回数に応じて通信料の還元額とダウンロード購入料の負担額を計算する手段である。楽曲等提供者支払額計算手段は本発明のダウンロード購入時広告表示システムを利用している携帯端末使用者の利用回数に応じて楽曲等提供者への支払額を計算する手段である。
【発明の効果】
【０００６】本発明のダウンロード購入時広告表示システムによれば、広告をダウンロード中の画面表示に代わりまたはダウンロードの前後に携帯端末に表示し携帯端末使用者の通信料の一部を広告料から還元しダウンロード購入料の一部を広告料から負担することで、経済的負担や経費を抑える効果がある。広告主は確実に携帯端末使用者に届く広告を配信することができる。
【図面の簡単な説明】
【０００７】
【図１】本発明の実施の形態例に係るダウンロード購入時広告表示システムの動作を示すフロー図である。
【図２】サービス導入装置、ダウンロード履歴記録装置、広告配信履歴記録装置、広告課金装置、還元支払額計算装置で構成される処理を示すフロー図である。
【符号の説明】
【０００８】［図１］
１    携帯端末使用者
２    広告主
３    楽曲等提供者
４    ダウンロード購入時広告表示システム
５    広告主からの広告データ・情報を入力
６    楽曲等提供者から楽曲等を提供
７    通信開始
８    広告配信
９    ダウンロード購入
１０    楽曲等提供者への支払
１１    還元額の支払
［図２］
１０１    携帯端末使用者
１０２    広告主
１０３    楽曲等提供者
１０４    データベース
２０１    サービス導入装置
２０２    携帯端末使用者情報入力手段
３０１    ダウンロード履歴記録装置
３０２    検出手段
３０３    広告取出し配信手段
３０４    通信手段
４０１    広告配信履歴記録装置
４０２    広告配信履歴記録手段
５０１    還元支払額計算装置
５０２    携帯端末使用者還元額計算手段
５０３    楽曲等提供者支払額計算手段
６０１    広告課金装置
６０２    広告料金算出手段
６０３    広告料金記録手段
００１    データベースに携帯端末使用者の情報を入力
００２    広告主からの広告データ・情報を入力
００３    楽曲等提供者から楽曲等の提供
００４    携帯端末使用者からの発信
００５    携帯端末使用者がサービス導入者か否かの問い合わせ
００６    広告の取り出しと配信
００７    配信した情報を記録
００８    ダウンロード開始
００９    配信した情報を還元支払額計算装置へ伝達
０１０    配信した情報を広告課金装置へ伝達
０１１    広告料金の請求
０１２    広告料金の支払
０１３    携帯端末使用者へ還元
１４      楽曲等提供者へ支払
【図１】
2009211669.tif 000003
【図２】
2009211669.tif 000004